【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
その一部分が毛髪が切断される皮膚表面に向かって配置されるようになっている構造と、
前記毛髪と接触するよう位置決めされまた毛髪を充分に切断可能な温度に加熱される１つまたはそれ以上の加熱要素を備えたヒートジェネレーターであって、前記少なくとも１つの加熱要素が前記一部分に並べられているものと、
前記１つまたはそれ以上の加熱要素をパルス状に加熱するよう電源を制御するコントローラーと、を有する毛髪切除装置。
【請求項２】
前記１つまたはそれ以上の加熱要素は、１回のオン−オフサイクルに付き１０から１００ミリ秒の間加熱されることを特徴とする、請求項１に記載の装置。
【請求項３】
加熱要素の加熱は１から１００Ｈｚのパルス頻度で繰り返されることを特徴とする、請求項１に記載の装置
【請求項４】
前記コントローラーは速度ディテクターを有することを特徴とする、請求項１から請求項３のいずれかに記載の装置。
【請求項５】
速度ディテクターによって、前記皮膚に対する前記装置の速度が上昇すると前記ヒートジェネレーターはパルスの繰り返し頻度を上昇させるようになり、
前記皮膚に対する前記装置の速度が低下するとパルスの繰り返し頻度を低下させるようになることを特徴とする、請求項４に記載の装置。
【請求項６】
速度ディテクターによって、前記皮膚に対する前記装置の速度が上昇すると前記ヒートジェネレーターは前記パルスが連続している間のパルスの幅を増加させ、
前記皮膚に対する前記装置の速度が低下すると前記パルスが連続している間のパルスの幅を減少させるようになることを特徴とする、請求項４または請求項５に記載の装置。
【請求項７】
速度ディテクターによって、速度が特定の値以上に上昇したことが前記速度ディテクターによって検出された時に、前記パルスは連続加熱を行うように変化することを特徴とする、請求項４から請求項６のいずれかに記載の装置。
【請求項８】
速度ディテクターによって、前記皮膚に対する前記装置の速度が上昇した時に、前記ヒートジェネレーターは前記加熱要素の温度を上昇させるようになり、
前記皮膚に対する前記装置の速度が低下した時に、前記加熱要素の温度を低下させるようになることを特徴とする、請求項４から請求項７のいずれかに記載の装置。
【請求項９】
前記コントローラーは、モーションディテクターを有することを特徴とする、請求項１から請求項３のいずれかに記載の装置。
【請求項１０】
前記モーションディテクターは、前記ヒートジェネレーターが皮膚に対して移動している時は前記ヒートジェネレーターがオンになるように、また前記ヒートジェネレーターが皮膚に対して移動してない時は前記ヒートジェネレーターがオフになるように、前記ヒートジェネレーターを制御することを特徴とする、請求項９に記載の装置。
【請求項１１】
１つまたはそれ以上の加熱要素は、リボン状であり、リボン状の加熱要素の面部は前記皮膚とほぼ垂直であることを特徴とする、請求項１から請求項１０のいずれかに記載の装置。
【請求項１２】
１つまたはそれ以上の加熱要素は皮膚にほぼ平行なワイヤーであることを特徴とする、請求項１から請求項１１のいずれかに記載の装置。
【請求項１３】
１つまたはそれ以上の加熱要素は２つまたはそれ以上の加熱要素であることを特徴とする、請求項１から請求項１２のいずれかに記載の装置。
【請求項１４】
２つまたはそれ以上の加熱要素によって形成される面は、皮膚に平行であることを特徴とする、請求項１３に記載の装置。
【請求項１５】
２つまたはそれ以上の加熱要素によって形成される面は、皮膚に垂直であることを特徴とする、請求項１３に記載の装置。
【請求項１６】
２つまたはそれ以上の加熱要素によって形成される面は、皮膚に平行でも垂直でもないことを特徴とする、請求項１３に記載の装置。
【請求項１７】
２つまたはそれ以上の加熱要素の断面積または断面形状は異なることを特徴とする、請求項１３から請求項１６のいずれかに記載の装置。
【請求項１８】
２つまたはそれ以上の加熱要素のうちの少なくとも２つによって供給される熱は、異なるパルス頻度またはパルス幅で供給されることを特徴とする、請求項１３から請求項１７のいずれかに記載の装置。
【請求項１９】
２つまたはそれ以上の加熱要素のうちの少なくとも２つの温度は異なることを特徴とする、請求項１３から請求項１８のいずれかに記載の装置。
【請求項２０】
１つの加熱要素の少なくとも一端は、テンションジェネレーターに取り付けられていることを特徴とする、請求項１から請求項１９のいずれかに記載の装置。
【請求項２１】
皮膚に対して配置されるようになっている前記一部分は、皮膚表面と接触する２つまたはそれ以上の列の皮膚押圧器であり、前記皮膚押圧要素の２つまたはそれ以上の列は、皮膚押圧要素の２つの平行な列であることを特徴とする、請求項１から請求項２０のいずれかに記載の装置。
【請求項２２】
前記１つまたはそれ以上の加熱要素は、前記皮膚押圧要素の２つまたはそれ以上の列の間に配置されることを特徴とする、請求項２１に記載の装置。
【請求項２３】
皮膚表面に向かって配置されている前記一部分は、前記構造から分離し、また前記一部分は前記構造上に１つまたはそれ以上のマウント部材を介して設置されることを特徴とする、請求項１から請求項２２のいずれかに記載の装置。
【請求項２４】
前記マウント部材は柔軟なゴムのポストであることを特徴とする、請求項２３に記載の装置。
【請求項２５】
前記マウント部材は、ばね荷重式のマウント部材であることを特徴とする、請求項２３に記載の装置。
【請求項２６】
前記マウント部材は前記加熱要素に電気的に接続されていることを特徴とする、請求項２３から請求項２５のいずれかに記載の装置。
【請求項２７】
コントローラーは、加熱要素を皮膚に沿って移動させるモーターを有し、その結果、皮膚は焼灼されるレベルまでは加熱されないことを特徴とする、請求項１から請求項２６のいずれかに記載の装置。
【請求項２８】
加熱要素は、回転軸を持つ非連続的な円筒面を形成するよう並べられた細長い加熱要素であることを特徴とする、請求項２７に記載の装置。
【請求項２９】
加熱要素が回転軸周りに回転すると、これらは周期的に皮膚表面と接触しまたこの接触が解除されることを特徴とする、請求項２８に記載の装置。
【請求項３０】
加熱要素を冷却するファンを有することを特徴とする、請求項１から請求項２９のいずれかに記載の装置。
【請求項３１】
前記１つまたはそれ以上の加熱要素は前記皮膚表面に接触することを特徴とする、請求項１から請求項３０のいずれかに記載の装置。
【請求項３２】
加熱要素を皮膚にパルス状に接触させ、
前記位置で皮膚を焼灼することなく毛髪を充分に切断出来るピーク温度に前記加熱要素は加熱され、
前記パルスによって、前記加熱要素は前記パルスとパルスの間で皮膚を焼灼しないが毛髪は切断されるように冷却可能である、
ことを特徴とする、毛髪を切除する方法。
【請求項３３】
前記減少させることは、加熱要素へのパルス頻度を減少させることを含む、請求項３２に記載の方法。
【請求項３４】
減少させることは、加熱要素へのパルス状加熱の各パルスのパルス幅を減少させることであることを特徴とする、請求項３２に記載の方法。
【請求項３５】
減少させることは、加熱要素へのパルス状加熱の各パルスの温度を減少させることであることを特徴とする、請求項３２に記載の方法。
【請求項３６】
減少させることは、前記皮膚に対する前記装置の速度が減少したことを速度ディテクターが検出した時に、前記速度ディテクターによって行われることを特徴とする、請求項３２から請求項３５のいずれかに記載の方法。